(57)【要約】【課題】内燃機関に付帯する排気ガス再循環（Ｅｘｈａｕｓｔ  Ｇａｓ  Ｒｅｃｉｒｃｕｌａｔｉｏｎ）装置のＥＧＲ率またはＥＧＲ量を吸気管内圧力とともに制御するに際して、ＥＧＲカット条件が成立しているにもかかわらずＥＧＲ未カットの期間が発生する問題を回避する。【解決手段】ＥＧＲカット条件が成立している暁には、ＥＧＲ率またはＥＧＲ量とその目標値との偏差を０と見なした上で吸気管内圧力をその目標値に制御する制御装置５を構成した。【選択図】図３
2010112305.tif 000002
【特許請求の範囲】
【請求項１】
内燃機関に付帯する排気ガス再循環（Ｅｘｈａｕｓｔ  Ｇａｓ  Ｒｅｃｉｒｃｕｌａｔｉｏｎ）装置のＥＧＲ率またはＥＧＲ量を、吸気管内圧力とともに制御するものであって、
ＥＧＲカット条件が成立しているときにＥＧＲ率またはＥＧＲ量とその目標値との偏差を０と見なし、吸気管内圧力をその目標値に制御することを特徴とする制御装置。
【発明の詳細な説明】
【技術分野】
【０００１】
本発明は、内燃機関及びこれに付帯する排気ガス再循環装置を制御する制御装置に関する。
【背景技術】
【０００２】
下記特許文献１に開示されている排気ガス再循環（Ｅｘｈａｕｓｔ  Ｇａｓ  Ｒｅｃｉｒｃｕｌａｔｉｏｎ）システムは、過給機を備えた内燃機関のＥＧＲ率（または、ＥＧＲ量）を制御するものである。過給圧とＥＧＲ率との間には相互干渉が存在し、１入力１出力のコントローラで過給圧、ＥＧＲ率の両方を同時に制御することは難しい。しかも、内燃機関の運転領域によって応答性が異なる上、過給機にはターボラグ（むだ時間）がある。このような事情から、特許文献１に記載のシステムでは、非線形制御対象に対して有効な制御手法であるスライディングモード制御を採用し、相互作用を考慮した他入力多出力のコントローラを設計してＥＧＲ制御をしている。
【特許文献１】特開２００７−０３２４６２号公報
【発明の開示】
【発明が解決しようとする課題】
【０００３】
ＥＧＲシステムを持つ内燃機関では、時としてそのＥＧＲをカット、即ちＥＧＲ通路を閉鎖して排気ガスの還流を停止する必要が生じる。ＥＧＲカット条件は内燃機関や自動車の種類に応じて異なるが、通常は、高回転かつ高負荷運転を行うときや、標高が高く外気圧が低い場所で一定以上の負荷運転を行うとき等にＥＧＲカットを実行する。
【０００４】
ところが、上記例の如き多入力多出力の協調制御では、吸気管内圧力をＥＧＲ率とともにあるべき目標値に追従させようとすると、ＥＧＲバルブが協調して開いてしまう。このため、ＥＧＲカット条件が成立している状況下であっても、ＥＧＲ通路が常に遮断状態にあるとは保証されず、排気ガスが漏流するＥＧＲ未カット期間が発生することがあり得た。
【０００５】
ＥＧＲ未カット期間を発生させないようにするには、条件に応じてコントローラを切り換えることが有効と考えられるが、複数のコントローラの設計には多大な工数を要する。
【０００６】
本発明は、以上に述べた新規な課題に初めて着目してなされたものであり、モデル同定またはコントローラ設計の工数を徒に増大させることなく、簡便にＥＧＲ未カット期間の発生を回避することを所期の目的としている。
【課題を解決するための手段】
【０００７】
本発明では、内燃機関に付帯する排気ガス再循環装置のＥＧＲ率またはＥＧＲ量を、吸気管内圧力とともに制御するものであって、ＥＧＲカット条件が成立しているときにＥＧＲ率またはＥＧＲ量とその目標値との偏差を０と見なし、吸気管内圧力をその目標値に制御することを特徴とする制御装置を構成した。
【０００８】
つまり、ＥＧＲカット条件が成立した暁には、ＥＧＲ率またはＥＧＲ量とその目標値との偏差を０と見なすことでＥＧＲバルブの協調作動による開弁を阻止するようにしたのである。本発明の制御装置を用いるならば、ＥＧＲカット条件が成立しているにもかかわらずＥＧＲ未カットの期間が発生する問題を好適に回避できる。また、本発明では、条件に応じてコントローラを切り換えるようなことは行わないので、コントローラを複数設計せずに済む。
【発明の効果】
【０００９】
本発明によれば、モデル同定またはコントローラ設計の工数を徒に増大させることなく、簡便にＥＧＲ未カット期間の発生を回避し得る。
【発明を実施するための最良の形態】
【００１０】
本発明の一実施形態を、図面を参照して説明する。図１に示すものは、本発明の適用対象の一であるＥＧＲシステムである。内燃機関２に付帯するこのＥＧＲシステムは、吸排気系３、４における複数の流体圧または流量に関する値を検出するための計測器（または、センサ）１１、１２と、それらの値に目標値を設定し、各値を目標値に追従させるべく複数の操作部４５、４２、３３を操作する制御装置たる電子制御装置（Ｅｌｅｃｔｒｏｎｉｃ  Ｃｏｎｔｒｏｌ  Ｕｎｉｔ）５とを具備してなる。
【００１１】
内燃機関２は、例えば過給機を備えたディーゼルエンジンである。内燃機関２の吸気系３には、可変ターボのコンプレッサ３１を配設するとともに、その下流に吸気冷却用のインタークーラ３２、及び吸入空気（新気）量を調節するＤスロットルバルブ３３を設ける。また、吸入空気量を計測する流量計１１、吸気管内圧力を計測する圧力計１２をそれぞれ設置する。
【００１２】
内燃機関２の排気系４には、コンプレッサ３１を駆動するタービン４１を配設し、タービン４１の入口には過給機のＡ／Ｒ比を増減させるためのノズルベーン４２を設ける。そして、内燃機関２の燃焼室より排出される排気ガスの一部を吸気系３に還流させるＥＧＲ通路４３を形成する。ＥＧＲ通路４３は、吸気系３におけるスロットルバルブ３３よりも下流に接続する。ＥＧＲ通路４３には、排気冷却用のＥＧＲクーラ４４と、通過する排気ガス（ＥＧＲガス）量を調節する外部ＥＧＲバルブ４５とを設ける。
【００１３】
本実施形態では、ＥＧＲ率（または、ＥＧＲ量）と、吸気管内圧力とについて各々目標値を設定し、双方の制御量を一括に目標値に向かわせるべく複数の操作部、即ちＥＧＲバルブ４５、可変ターボのノズル４２及びスロットルバルブ３３を操作する制御を実施する。
【００１４】
ＥＧＲバルブ４５、ノズルベーン４２、スロットルバルブ３３は、ＥＣＵ５により統御されてその開度をリニアに変化させる。各操作部４５、４２、３３は、駆動信号のデューティ比を増減させることで開度を変える電気式のバルブや、あるいはバキュームコントロールバルブ等と組み合わされ弁体のリフト量を制御して開度を変える機械式のバルブ等を用いてなる。
【００１５】
ＥＣＵ５は、プロセッサ、ＲＡＭ、ＲＯＭまたはフラッシュメモリ、Ａ／Ｄ変換回路、Ｄ／Ａ変換回路等を包有するマイクロコンピュータである。ＥＣＵ５は、ＥＧＲ率及び吸気管内圧力を検出するための計測器１１、１２の他、エンジン回転数、アクセルペダルの踏込量、冷却水温、吸気温、外部の気温、気圧等を検出する各種計測器（図示せず）と電気的に接続し、これら計測器から出力される信号を受け取って各値を知得することができる。
【００１６】
因みに、本実施形態では、ＥＧＲ率を直接計測していない。内燃機関２のシリンダに入る空気量は、可変ターボのノズル開度を基に予測することが可能である。その空気量の予測値をｇcylとおき、流量計１１で計測される吸入空気量をｇaとおくと、推定ＥＧＲ率ｅegrについて、ｅegr＝１−ｇa／ｇcylなる関係が成立する。ＥＣＵ５のＲＯＭまたはフラッシュメモリには予め、可変ターボのノズル開度とシリンダに入る空気量との関係を定めたマップデータが記憶されている。ＥＣＵ５は、可変ターボのノズル開度をキーとしてマップを検索し、シリンダに入る空気量の予測値を得、これと吸入空気量とを上記式に代入してＥＧＲ率を算出する。
【００１７】
並びに、ＥＣＵ５は、ＥＧＲバルブ４５、可変ターボのノズル４２、スロットルバルブ３３や、燃料噴射を司るインジェクタ及び燃料ポンプ等（図示せず）と電気的に接続しており、これらを駆動するための信号を入力することができる。
【００１８】
ＥＣＵ５で実行するべきプログラムはＲＯＭまたはフラッシュメモリに予め記憶されており、その実行の際にＲＡＭへ読み込まれ、プロセッサによって解読される。ＥＣＵ５は、プログラムに従い内燃機関２を制御する。例えば、エンジン回転数、アクセルペダルの踏込量、冷却水温等の諸条件に基づき要求される燃料噴射量（いわば、エンジン負荷）を決定し、その要求噴射量に対応する駆動信号をインジェクタ等に入力して燃料噴射を制御する。その上で、ＥＣＵ５は、プログラムに従い、図２ないし４に示すスライディングモードコントローラ５１、及び目標値切換部５２としての機能を発揮する。
【００１９】
スライディングモードコントローラ５１は、ＥＧＲ率及び吸気管内圧力のスライディングモード制御を担う。フィードバック制御時、ＥＣＵ５は、各種計測器（図示せず）が出力する信号を受け取ってエンジン回転数、アクセル踏込量、冷却水温、吸気温、外部の気温及び気圧等を知得し、要求噴射量を決定する。続いて、少なくともエンジン回転数及び要求噴射量に基づき、目標ＥＧＲ率及び目標吸気管内圧力を設定する。ＥＣＵ５のＲＯＭまたはフラッシュメモリには予め、エンジン回転数及び要求噴射量に応じて設定するべき各目標値を示すマップデータが記憶されている。ＥＣＵ５は、エンジン回転数及び要求噴射量をキーとしてマップを検索し、ＥＧＲ率及び吸気管内圧力の目標値を得る。さらに、マップを参照して得た目標値を基本値とし、これを冷却水温、吸気温、外部の気温や気圧等に応じて補正して最終的な目標値とする。
【００２０】
そして、ＥＣＵ５は、計測器１１、１２が出力する信号を受け取ってＥＧＲ率及び吸気管内圧力の現在値を知得し、各制御量の現在値と目標値との偏差からＥＧＲバルブ４５の開度、可変ターボのノズル４２の開度及びスロットルバルブ３３の開度を演算して、各々の操作量に対応する駆動信号をそれら操作部４５、４２、３３に入力、開度を操作する。
【００２１】
ＥＧＲ率の適応スライディングモード制御に関して補記する。状態方程式及び出力方程式は、下式（数１）の通りである。
【００２２】
【数１】
2010112305.tif 000003
【００２３】
本実施形態では、状態量ベクトルＸを出力ベクトルＹから直接知得できる構造とする、換言すれば計測器１１、１２を介して検出可能な値を直接の制御対象とすることにより、状態推定オブザーバを排して推定誤差に伴う制御性能の低下を予防している。出力行列Ｃは既知、本実施形態では単位行列とする。
【００２４】
プラントのモデル化、即ち状態方程式（数１）における係数行列Ａ及び入力行列Ｂの同定にあたっては、各操作部４５、４２、３３に様々な周波数からなるＭ系列信号を入力して開度を操作し、ＥＧＲ率及び吸気管内圧力の値を観測して、その入出力データから行列Ａ、Ｂを同定する。各操作部４５、４２、３３に入力するＭ系列信号は、互いに無相関なものとする。これにより、各値の相互干渉を考慮したモデルを作成することができる。
【００２５】
図４に、適応スライディングモード制御系のブロック線図を示す。スライディングモードコントローラ５１の設計手順には、切換超平面の設計と、状態量を切換超平面に拘束するための非線形切換入力の設計とが含まれる。
【００２６】
１形のサーボ系を構成するべく、当初の状態量ベクトルＸに、目標値ベクトルＲと出力ベクトルＹとの偏差の積分値ベクトルＺを付加した新たな状態量ベクトルＸeを定義すると、下式（数２）に示す拡大系の状態方程式を得る。
【００２７】
【数２】
2010112305.tif 000004
【００２８】
安定余裕を考慮し、切換超平面の設計にはシステムの零点を用いた設計手法を用いる。即ち、上式（数２）の拡大系がスライディングモードを生じているときの等価制御系が安定となるように超平面を設計する。切換関数σを式（数３）で定義すると、状態が超平面に拘束されている場合にσ＝０かつ式（数４）が成立する。
【００２９】
【数３】
2010112305.tif 000005
【００３０】
【数４】
2010112305.tif 000006
【００３１】
故に、スライディングモードが生じているときの線形入力（等価制御入力）は、下式（数５）となる。
【００３２】
【数５】
2010112305.tif 000007
【００３３】
上式（数５）の線形入力を拡大系の状態方程式（数２）に代入すると、下式（数６）の等価制御系となる。
【００３４】
【数６】
2010112305.tif 000008
【００３５】
この等価制御系が安定になるように超平面を設計することと、目標値Ｒを無視した系に対して設計することとは等価であるので、下式（数７）が成立する。
【００３６】
【数７】
2010112305.tif 000009
【００３７】
上式（数７）の系に対して安定度εを考慮し、最適制御理論を用いてフィードバックゲインを求め、それを超平面とすると、下式（数８）となる。
【００３８】
【数８】
2010112305.tif 000010
【００３９】
行列Ｐsは、リカッチ方程式（数９）の正定解である。
【００４０】
【数９】
2010112305.tif 000011
【００４１】
リカッチ方程式（数９）におけるＱsは制御目的の重み行列で、非負定な対称行列である。ｑ1、ｑ2は偏差の積分Ｚに対する重みであり、制御系の周波数応答の速さの違いにより決定する。ｑ3、ｑ4は出力Ｙに対する重みであり、ゲインの大きさの違いにより決定する。また、リカッチ方程式（数９）におけるＲsは制御入力の重み行列で、正定対称行列である。εは安定余裕係数で、ε≧０となるように指定する。
【００４２】
なお、上記式（数８）、（数９）に替えて、以下に示す離散系の超平面構築式（数１０）及び代数リカッチ方程式（数１１）を用いてもよい。
【００４３】
【数１０】
2010112305.tif 000012
【００４４】
【数１１】
2010112305.tif 000013
【００４５】
超平面に拘束するための入力の設計には、最終スライディングモード法を用いる。ここでは、制御入力Ｕを、線形入力Ｕeqと新たな入力即ち非線形入力（非線形制御入力）Ｕnlとの和として、下式（数１２）で表す。
【００４６】
【数１２】
2010112305.tif 000014
【００４７】
切換関数σを安定させたいので、σについてのリアプノフ関数を下式（数１３）のように選び、これを微分すると式（数１４）となる。
【００４８】
【数１３】
2010112305.tif 000015
【００４９】
【数１４】
2010112305.tif 000016
【００５０】
式（数１２）を式（数１４）に代入すると、下式（数１５）となる。
【００５１】
【数１５】
2010112305.tif 000017
【００５２】
非線形入力Ｕnlを下式（数１６）とすると、リアプノフ関数の微分は式（数１７）となる。
【００５３】
【数１６】
2010112305.tif 000018
【００５４】
【数１７】
2010112305.tif 000019
【００５５】
従って、切換ゲインｋを正とすれば、リアプノフ関数の微分値を負とすることができ、スライディングモードが保証される。このときの制御入力Ｕは、下式（数１８）である。
【００５６】
【数１８】
2010112305.tif 000020
【００５７】
ηはチャタリング低減のために導入した平滑化係数であって、η＞０である。
【００５８】
スライディングモード制御では、状態量を超平面に拘束するために非線形ゲインを大きくする必要がある。だが、非線形ゲインを大きくすると、制御入力にチャタリングが発生する。そこで、モデルの不確かさを、構造が既知でパラメータが未知な確定部分と、構造が未知だがその上界値が既知な不確定部分とに分ける。状態方程式（数１）に不確かさ（ｆ＋Δｆ）を加え、下式（数１９）で表す。
【００５９】
【数１９】
2010112305.tif 000021
【００６０】
不確かさの確定部分ｆは、未知パラメータθを同定することで補償される。さすれば、切換ゲインは不確かさの不確定部分Δｆのみにかかることとなり、切換ゲインが不確実成分全体（ｆ＋Δｆ）にかかる場合と比べて制御入力のチャタリングを大幅に低減できる。
【００６１】
制御入力Ｕは、式（数１８）に適応項Ｕadを追加した下式（数２０）となる。
【００６２】
【数２０】
2010112305.tif 000022
【００６３】
制御入力（数２０）におけるΓ1は、適応ゲイン行列である。関数ｈは、一般には状態量ｘ及び／または未知パラメータθの関数とするが、本実施形態ではｈをｘ及びθに無関係な単純式、定数とすることにより、ｘを速やかに収束させ、θの適応速度を高めるようにしている。特に、ｈ＝１とした場合、推定パラメータを下式（数２１）に則って同定することができる。
【００６４】
【数２１】
2010112305.tif 000023
【００６５】
本実施形態では、ＥＧＲ率ｙ1及び吸気管内圧力ｙ2を制御出力変数とし、ＥＧＲバルブ４５の開度ｕ1、可変ターボのノズル４２の開度ｕ2及びスロットルバルブ３３の開度ｕ3を制御入力変数とした３入力２出力のフィードバック制御を行う。状態変数の個数（システムの次数）は、当初の系（数１）では出力変数の個数と同じく２、拡大系（数２）では４となる。制御出力及び状態量をこのように特定することで、排気ガスに直接触れる箇所に流量計等の計測器を設置する必要がなくなる。
【００６６】
尤も、本実施形態のような３入力２出力のシステムでは、ｄｅｔ（ＳＢe）＝０が成立し、行列（ＳＢe）は正則とはならない。そこで、逆行列（ＳＢe）-1を、一般化逆行列として算定する。一般化逆行列には、例えばムーア・ペンローズ型の逆行列（ＳＢe）†を用いる。
【００６７】
しかして、目標値切換部５２は、ＥＧＲカット条件の成立の有無に応じて、スライディングモードコントローラ５１に与える目標値Ｒの切り換えを行う。目標値切換部５２は、ＥＧＲカット条件が成立している、即ち排気ガスがＥＧＲ通路４３を経由して吸気系３に還流することを禁止するべき場合において、図３に示しているように、ＥＧＲカット用の吸気管内圧力目標値ｅｇｒｔａｒｇをコントローラ５１に与える。このｅｇｒｔａｒｇは、通常０である。なおかつ、同じｅｇｒｔａｒｇを、ＥＧＲ率の実測値ｙ1としてコントローラ５１に与える。即ち、計測器１１、１２を介して検出した現実のＥＧＲ率の値を制御に使用しない。これにより、ＥＧＲカット実行時におけるＥＧＲ率とその目標値との偏差が０となる。ＥＧＲカット条件の例を具体的に列挙すると、
・高回転で高負荷の運転領域にあるとき。つまり、エンジン回転数が所定閾値以上かつ燃料噴射量が所定閾値以上であるとき
・標高の高い場所に所在し、ある程度以上の負荷運転領域にあるとき。換言すれば、外部の気圧が、エンジン回転数及び燃料噴射量を基に定まる閾値（ＥＣＵ５のＲＯＭまたはフラッシュメモリには予め、エンジン回転数及び燃料噴射量に応じて設定するべき外気圧の閾値を示すマップデータが記憶されている）以下であるとき
・標高の低い場所に所在し、暖気運転を必要としているとき。つまり、外部の気圧が所定閾値以上かつ冷却水温が所定閾値（典型的には、４０℃）以下であるとき
等がＥＧＲカット条件となる。翻って、ＥＧＲカット条件が成立していない場合、即ち排気ガスがＥＧＲ通路４３を経由して吸気系３に還流することを許容する場合には、エンジン回転数や燃料噴射量等に基づいて定まる目標ＥＧＲ率ｒ1及び計測器１１、１２を介して検出した現実のＥＧＲ率ｙ1をコントローラ５１に与える。
【００６８】
他方、吸気管内圧力については、ＥＧＲカット条件の成立の有無にかかわらず、エンジン回転数や燃料噴射量等に基づいて定まる目標吸気管内圧力ｒ2をコントローラ５１に与え、制御出力ｙ2を目標値ｒ2に追従させる制御を継続する。
【００６９】
本実施形態によれば、内燃機関２に付帯する排気ガス再循環装置のＥＧＲ率またはＥＧＲ量を、吸気管内圧力とともに制御するものであって、ＥＧＲカット条件が成立しているときにＥＧＲ率またはＥＧＲ量とその目標値との偏差を０と見なし、吸気管内圧力をその目標値に制御することを特徴とする制御装置を構成したため、ＥＧＲカット実行時におけるＥＧＲバルブ４５の協調作動による開弁を確実に阻止することができ、ＥＧＲカット条件が成立しているにもかかわらずＥＧＲ未カットの期間が発生するという問題を好適に回避可能である。本実施形態の制御装置では、ＥＧＲカット条件の成立の有無によってフィードバックコントローラ５１の内容や目標値ｒ2の決定ロジックを切り換えるようなことは行わないので、複数のモデルを同定し複数のコントローラを設計するといった工数の増大を甘受せずに済む。
【００７０】
なお、本発明は以上に詳述した実施形態に限られるものではない。特に、コントローラが実現する多入力多出力制御の手法はスライディングモード制御には限定されず、スライディングモード制御以外の手法、例えば最適制御、Ｈ∞制御、バックステッピング制御等を採用しても構わない。
【００７１】
その他各部の具体的構成は、本発明の趣旨を逸脱しない範囲で種々変形が可能である。
【図面の簡単な説明】
【００７２】
【図１】本発明の一実施形態におけるＥＧＲシステムのハードウェア資源構成図。
【図２】同実施形態の制御装置の構成説明図。
【図３】同実施形態の制御装置の構成説明図。
【図４】適応スライディングモードコントローラのブロック線図。
【符号の説明】
【００７３】
５…ＥＣＵ（制御装置）
５１…適応スライディングモードコントローラ
５２…目標値切換部
【図１】
2010112305.tif 000024
【図２】
2010112305.tif 000025
【図３】
2010112305.tif 000026
【図４】
2010112305.tif 000027